(57)【要約】【課題】撮影状況に応じて撮像制御を自動的に変更できるようにする。【解決手段】カメラモードにおいて、システムコントローラ１０５は、回動角度検出部１０７を介して液晶パネル１０６の回動角度θを検出する。その結果、回動角度θが一定値を超えていれば、液晶パネル１０６の表示面１０６ａが下向きになっているハイアングル撮影であるとして、自動焦点機能や自動揺れ補正機能や自動光量調節機能の制御をハイアングル撮影に好ましいものに変更する。【選択図】図１
2007214999.tif 000002
【特許請求の範囲】
【請求項１】
撮像するための撮像手段と、
撮像装置本体に回動可能に取り付けられ、前記撮像手段で撮像された画像を表示する表示手段と、
前記表示手段の回動角度を検出する回動角度検出手段と、
前記回動角度検出手段で検出された回動角度に応じて撮像制御を変更する制御手段とを備えたことを特徴とする撮像装置。
【請求項２】
前記制御手段は、前記回動角度検出手段で検出された回動角度に応じて自動焦点機能の制御を変更すること特徴とする請求項１に記載の撮像装置。
【請求項３】
前記制御手段は、前記回動角度検出手段で検出された回動角度に応じて自動揺れ補正機能の制御を変更すること特徴とする請求項１に記載の撮像装置。
【請求項４】
前記制御手段は、前記回動角度検出手段で検出された回動角度に応じて自動光量調節機能の制御を変更すること特徴とする請求項１に記載の撮像装置。
【請求項５】
撮像するための撮像手段と、撮像装置本体に回動可能に取り付けられ、前記撮像手段で撮像された画像を表示する表示手段と、前記表示手段の回動角度を検出する回動角度検出手段とを備えた撮像装置を制御するコンピュータプログラムであって、
前記回動角度検出手段で検出された回動角度に応じて撮像制御を変更する処理をコンピュータに実行させることを特徴とするコンピュータプログラム。
【発明の詳細な説明】
【技術分野】
【０００１】
本発明は、撮像装置本体に液晶パネル等の表示手段が回動可能に取り付けられたデジタルビデオカメラ、ビデオカメラ等の撮像装置及びコンピュータプログラムに関する。
【背景技術】
【０００２】
デジタルビデオカメラ、ビデオカメラ等の殆どの機種では、画像データを記録媒体に記録する時にモニタリングしやすいように、また、記録されている画像データを再生する時に見やすいように、２〜３.５インチ程度の液晶パネルを備えている。
【０００３】
液晶パネルは、ローアングル撮影、ハイアングル撮影、対面撮影等を考慮して、２７０度程度回動可能となっている。その結果、片手撮影でも簡単に操作が可能となり、例えば液晶パネルの表示面を下向きにして、人垣越しに被写体を撮影するようなハイアングル撮影も可能である。
【０００４】
特許文献１には、撮影画像を監視用として表示する液晶モニタをモータにて回転可能とし、スイッチ操作により回転方向、回転角度、回転速度、回転停止を指示するように構成したビデオカメラが開示されている。
【０００５】
また、特許文献２には、液晶モニタを回動操作することにより、その回転角度や回転方向に応じて、再生する画像ファイルの選択やサーチ、又は再生形態の選択を行う画像再生装置が開示されている。
【０００６】
【特許文献１】特開２００１−２７５０１９号公報
【特許文献２】特開２００５−１９８２５６号公報
【発明の開示】
【発明が解決しようとする課題】
【０００７】
しかしながら、片手撮影、特に液晶パネルの表示面を下向きにしてのハイアングル撮影では、手前の人の頭が撮像範囲に出入りすることにより、焦点が遠近になったり、明るさが急に暗くなったりすることがあった。
【０００８】
また、撮像装置を高い位置に持ち上げての片手撮影となるため、大きな揺れ等で最適な状態での撮影を行うことができるとは言えないことも多い。
【０００９】
また、レンズ制御の各機能もハイアングル撮影を意識した制御方法を取り入れること無く、通常の撮影と同様の制御状態として扱われていた。
【００１０】
本発明は上記実情に鑑みてなされたもので、撮影状況に応じて撮像制御を自動的に変更できるようにすることを目的とする。
【課題を解決するための手段】
【００１１】
本発明による撮像装置は、撮像するための撮像手段と、撮像装置本体に回動可能に取り付けられ、前記撮像手段で撮像された画像を表示する表示手段と、前記表示手段の回動角度を検出する回動角度検出手段と、前記回動角度検出手段で検出された回動角度に応じて撮像制御を変更する制御手段とを備えた点に特徴を有する。
本発明によるコンピュータプログラムは、撮像するための撮像手段と、撮像装置本体に回動可能に取り付けられ、前記撮像手段で撮像された画像を表示する表示手段と、前記表示手段の回動角度を検出する回動角度検出手段とを備えた撮像装置を制御するコンピュータプログラムであって、前記回動角度検出手段で検出された回動角度に応じて撮像制御を変更する処理をコンピュータに実行させる点に特徴を有する。
【発明の効果】
【００１２】
本発明によれば、液晶パネル等の表示手段の回動角度に応じて撮像制御を自動的に変更することができ、撮影状況を条件として取り入れた撮像制御が可能となる。これにより、例えばハイアングル撮影時に、ハイアングル撮影に適するように自動焦点機能や自動揺れ補正機能や自動光量調節機能の制御を変更することができる。
【発明を実施するための最良の形態】
【００１３】
以下、添付図面を参照して、本発明の好適な実施形態について説明する。
（第１の実施形態）
図１は、本発明の第１の実施形態に係る画像記録再生装置としての撮像装置の概略構成を示すブロック図である。図１において、１０１は光学レンズである。１０２はＣＣＤイメージセンサであり、光学レンズ１０１を透過した被写体像を取り込んで撮像信号を生成する。
【００１４】
１０３はカメラ信号処理部であり、ＣＣＤイメージセンサ１０２から出力される撮像信号に対してカメラ信号処理を施す。１０４は画像圧縮伸張部であり、記録動作時にカメラ信号処理部１０３からの画像信号を圧縮し、再生動作時に記録媒体１１０に記録されている画像圧縮データを伸張する。１０５はシステムコントローラであり、撮像装置装置全体の制御を司る。
【００１５】
１０６は液晶パネルであり、開閉煽り調節、回動機能の機構を有する。１０７は回動角度検出部であり、液晶パネル１０６の回動角度を検出する。１０８は各種操作を行うための操作キーである。
【００１６】
１０９は記録再生部であり、記録動作時に画像圧縮伸張部１０４で圧縮された画像データを記録媒体１１０に記録し、再生動作時に記録媒体１１０に記録されている画像圧縮データを読み込む。１１０はメモリカード、ディスク、テープ等の記録媒体である。
【００１７】
図２は、第１の実施形態に係る撮像装置の外観図であり、（ａ）は前面を示す図、（ｂ）は側面を示す図、（ｃ）は上面を示す図である。図２に示すように、撮像装置本体２０１の側面に、回動機能の機構を有する液晶パネル１０６が取り付けられている。
【００１８】
図３は、第１の実施形態に係る撮像装置の液晶パネル１０６の状態を示す図である。図３（ａ）は液晶パネル１０６の表示面１０６ａを後方を向けた状態であり、すなわち、液晶パネル１０６を撮像装置本体２０１から開いた状態であり、この状態で回動角度θ＝０となっている。ここでは、液晶パネル１０６の図中反時計回り方向への回動を「＋」、図中時計回り方向への回動を「−」として取り扱う。
【００１９】
図３（ｂ）は液晶パネル１０６を−方向へ回動させ、表示面１０６ａをやや下向きにさせた状態である。ここでは、−π／４＜θの範囲にあれば、通常撮影であると判定する。
【００２０】
図３（ｃ）は液晶パネル１０６を更に−方向へ回動させ、表示面１０６ａを下向きにさせた状態である。ここでは、−π／４≧θの範囲にあれば、ハイアングル撮影と判定する。
【００２１】
以下、図４のフローチャートを参照して、第１の実施形態に係る撮像装置での撮影時の処理動作について説明する。システムコントローラ１０５は撮像装置がカメラモードにあるか否かを判断する（ステップＳ５０１）。
【００２２】
カメラモードであれば、システムコントローラ１０５は、回動角度検出部１０７を介して液晶パネル１０６の回動角度θを検出する（ステップＳ５０２）。カメラモードでなければ、本処理ルーチンを抜ける。
【００２３】
次に、システムコントローラ１０５は、上記ステップＳ５０２において検出した回動角度θが「−π／４≧θ」であるか否かを判断する（ステップＳ５０３）。その結果、Ｙｅｓであればハイアングル撮影であるとして、自動焦点機能の再合焦判別までの起動時間をハイアングル撮影に好ましい時間に延長する（ステップＳ５０４）。これにより、人垣越しに被写体を撮影するハイアングル撮影時に手前の人の頭が撮像範囲に出入りしたときにも、焦点が遠近になるのを避けることができる。それに対して、Ｎｏであれば通常撮影であるとして、自動焦点機能を通常制御のままとする（ステップＳ５０５）。
【００２４】
（第２の実施形態）
以下、第２の実施形態について説明する。なお、撮像装置の概略構成は図１〜３と同様であり、ここではその詳細な説明は省略する。
【００２５】
以下、図５のフローチャートを参照して、第２の実施形態に係る撮像装置での撮影時の処理動作について説明する。なお、図４のフローチャートと同じ処理動作には同一の符号を付して説明する。システムコントローラ１０５は撮像装置がカメラモードにあるか否かを判断する（ステップＳ５０１）。
【００２６】
カメラモードであれば、システムコントローラ１０５は、回動角度検出部１０７を介して液晶パネル１０６の回動角度θを検出する（ステップＳ５０２）。カメラモードでなければ、本処理ルーチンを抜ける。
【００２７】
次に、システムコントローラ１０５は、上記ステップＳ５０２において検出した回動角度θが「−π／４≧θ」であるか否かを判断する（ステップＳ５０３）。その結果、Ｙｅｓであればハイアングル撮影であるとして、自動揺れ補正機能の補正中心周波数をハイアングル撮影に好ましい中心周波数に変更する（ステップＳ５０６）。これにより、大きく揺れやすいハイアングル撮影にも、その揺れ補正を行うことができる。それに対して、Ｎｏであれば通常撮影であるとして、自動揺れ補正機能を通常制御のままとする（ステップＳ５０５）。
【００２８】
（第３の実施形態）
以下、第３の実施形態について説明する。なお、撮像装置の概略構成は図１〜３と同様であり、ここではその詳細な説明は省略する。
【００２９】
以下、図６のフローチャートを参照して、第３の実施形態に係る撮像装置での撮影時の処理動作について説明する。なお、図４のフローチャートと同じ処理動作には同一の符号を付して説明する。システムコントローラ１０５は撮像装置がカメラモードにあるか否かを判断する（ステップＳ５０１）。
【００３０】
カメラモードであれば、システムコントローラ１０５は、回動角度検出部１０７を介して液晶パネル１０６の回動角度θを検出する（ステップＳ５０２）。カメラモードでなければ、本処理ルーチンを抜ける。
【００３１】
次に、システムコントローラ１０５は、上記ステップＳ５０２において検出した回動角度θが「−π／４≧θ」であるか否かを判断する（ステップＳ５０３）。その結果、Ｙｅｓであればハイアングル撮影であるとして、自動光量調節機能の輝度応答性の応答時間をハイアングル撮影に好ましい時間に変更する（ステップＳ５０７）。これにより、人垣越しに被写体を撮影するハイアングル撮影時に手前の人の頭が撮像範囲に出入りしたときにも、明るさが急に暗くなるのを避けることができる。それに対して、Ｎｏであれば通常撮影であるとして、自動光量調節機能を通常制御のままとする（ステップＳ５０５）。
【００３２】
以上述べた各実施形態では、液晶パネル１０６の回動角度によりハイアングル撮影であることを判定するようにしたが、ローアングル撮影を判定するようにしてもよい。この場合、液晶パネル１０６の＋方向への回動を検出し、表示面１０６ａが上向きになったときローアングル撮影であると判定する。そして、ローアングル撮影に適するように自動焦点機能や自動揺れ補正機能や自動光量調節機能等の撮像制御を変更するようにしてもよい。
【００３３】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００３４】
この場合、記憶媒体から読み出されたプログラムコード自体が上述した実施形態の機能を実現することになり、プログラムコード自体及びそのプログラムコードを記憶した記憶媒体は本発明を構成することになる。
【００３５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３６】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００３７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００３８】
【図１】第１の実施形態に係る撮像装置の概略構成を示すブロック図である。
【図２】第１の実施形態に係る撮像装置の外観図である。
【図３】第１の実施形態に係る撮像装置の液晶パネルの状態を示す図である。
【図４】第１の実施形態に係る撮像装置での撮影時の処理動作について説明するためのフローチャートである。
【図５】第２の実施形態に係る撮像装置での撮影時の処理動作について説明するためのフローチャートである。
【図６】第３の実施形態に係る撮像装置での撮影時の処理動作について説明するためのフローチャートである。
【符号の説明】
【００３９】
１０１  光学レンズ
１０２  ＣＣＤイメージセンサ
１０３  カメラ信号処理部
１０４  画像圧縮伸張部
１０５  システムコントローラ
１０６  液晶パネル
１０７  回動角度検出部
１０８  操作キー
１０９  記録再生部
１１０  記録媒体
【図１】
2007214999.tif 000003
【図２】
2007214999.tif 000004
【図３】
2007214999.tif 000005
【図４】
2007214999.tif 000006
【図５】
2007214999.tif 000007
【図６】
2007214999.tif 000008